(57)【要約】【課題】携帯電話機の薄型化・小型化に寄与できる面キャップを実現する。【解決手段】携帯電話機１ａの筐体側壁部９ａに設けられた、カード挿入口又はコネクタ差込口としての開口部１０ａを閉ざして蓋するための面キャップであって、該面キャップ１ａは、開口部１０ａを蓋して装着される態様では、キャップ裏面が、開口部周縁面と面吸着されて、保持される構成となっている。【選択図】図２
2010087639.tif 000002
【特許請求の範囲】
【請求項１】
電子機器の筐体に設けられた所定の開口部を蓋するための面キャップであって、
該面キャップは、前記開口部を蓋して閉ざす態様では、キャップ裏面のうち、前記開口部まわりの縁面に相対向して当接される領域の全部又は一部が、前記開口部まわりの前記縁面の全部又は一部と面吸着されて、保持される構成になされていることを特徴とする吸着性の面キャップ。
【請求項２】
電子機器の筐体に設けられた、カード収納部のカード挿入口又は外部接続端子部のコネクタ差込口としての開口部を蓋するための面キャップであって、
該面キャップは、前記開口部を蓋して閉ざす態様では、キャップ裏面のうち、前記開口部まわりの縁面に相対向して当接される領域の全部又は一部が、前記開口部まわりの前記縁面の全部又は一部と面吸着されて、保持される構成になされていることを特徴とする吸着性の面キャップ。
【請求項３】
前記面キャップの少なくとも一部が、自己吸着性部材からなると共に、前記キャップ裏面のうち、前記開口部まわりの前記縁面に相対向して当接される前記領域の全部又は一部が、前記自己吸着性部材の露出面からなることを特徴とする請求項１又は２記載の吸着性の面キャップ。
【請求項４】
前記自己吸着性部材が、シリコーン材からなることを特徴とする請求項３記載の吸着性の面キャップ。
【請求項５】
前記面キャップの少なくとも一部が、吸盤性部材からなると共に、
前記キャップ裏面のうち、前記開口部まわりの前記縁面に相対向して当接される領域の全部又は一部が、前記吸盤性部材の露出面からなることを特徴とする請求項１又は２記載の吸着性の面キャップ。
【請求項６】
前記面キャップが、まわりを閉ざされた無蓋の凹領域を有する気密性部材と、該気密性部材の前記凹領域の中に露出状態で埋設収納された吸盤性部材とからなると共に、
該吸盤性部材の露出面が、前記キャップ裏面のうち、前記開口部まわりの前記縁面に相対向して当接される前記領域の全部又は一部に相当することを特徴とする請求項１又は２記載の吸着性の面キャップ。
【請求項７】
前記吸盤性部材が、通気性、多孔性又は発泡性の合成樹脂からなることを特徴とする請求項５又は６記載の吸着性の面キャップ。
【請求項８】
前記気密性部材が、弾力性の部材からなることを特徴とする請求項６記載の吸着性の面キャップ。
【請求項９】
前記面キャップは、ゴムヒンジを介して、前記筐体に結合されることを特徴とする請求項１乃至８の何れか一に記載の吸着性の面キャップ。
【請求項１０】
請求項１乃至９の何れか一に記載の吸着性の面キャップを備えてなることを特徴とする電子機器。
【請求項１１】
前記開口部まわりの前記縁面のうち、前記キャップ裏面に相対向して当接される領域の全部又は一部が、略鏡面状に処理された緻密材の露出面からなることを特徴とする請求項１０記載の電子機器。
【発明の詳細な説明】
【技術分野】
【０００１】
この発明は、吸着性の面キャップ及びこれを備える電子機器に係り、特には、薄型の携帯電話機に用いて好適な吸着性の面キャップ及びこれを備える電子機器に関する。
【背景技術】
【０００２】
携帯電話機を代表とする携帯電子機器は、パソコンやＴＶ受像機や充電用アダプタ等の外部機器と接続するための外部接続端子部や、メモリカードを挿抜自在に装着するためのカード収納部を備えている。これらの外部接続端子部やカード収納部には、外部コネクタを差し込むためのコネクタ差込口や外部からメモリカードを挿抜するためのカード挿入口が機器筐体の側壁部に設けられている。
【０００３】
ところで、コネクタ差込口やカード挿入口等(以下、必要に応じて、開口部と総称する)が露出されたままだと、開口部を通して、外部接続端子部やカード収納部内（以下、簡単に筐体内部ともいう）に、外部から埃や水等の異物が侵入し易い状態となる。外部から侵入した埃や水等の異物が筐体内部の電気端子に付着すると、電気的故障の原因となるので、この種の携帯電子機器は、外部コネクタの未使用時やメモリカードの未挿抜時には、開口部を閉塞して蓋しておくための概略板状の端子キャップ（カバー）又はカードキャップ等（以下、必要に応じて、面キャップと総称する）を備えているのが、一般的である。
【０００４】
面キャップを備える開口部開閉構造としては、例えば、特許文献１等に記載されているように、面キャップ・爪嵌合方式を採用して開口部を開閉するもの（以下、第１の関連技術という）、及び、特許文献２等に記載されているように、面キャップ・スライド方式を採用して開口部を開閉するもの（以下、第２の関連技術という）が知られている。
【０００５】
図６は、第１の関連技術（爪嵌合方式）を採用する携帯電子機器の外観構成を概略示す斜視図、図中の円枠Ａは、同携帯電子機器の主要部（面キャップ・開口部）を拡大して示す部分拡大図である。
この携帯電子機器１は、同図に示すように、上部筐体２と下部筐体３とがヒンジ部４を介して折畳み自在に結合されて構成されている。上部筐体２には、表示パネル５やスピーカ等が搭載されていて、また、下部筐体３には、キー操作部６、カメラ、制御部、無線部、マイクロホン、及び電池パック等が搭載されている。上記下部筐体３は、上述の各部、各部品を搭載装着するためのフロントケース７と、リアカバー８と、電池パック交換用の開閉蓋とから構成されている。
【０００６】
下部筐体３の側壁（側面）部９には、爪嵌合方式を採用するカード挿入口やコネクタ差込口等の複数の開口部１０と、各開口部１０を蓋するための矩形の面キャップ１１が設けられている。なお、図６では、便宜上、単一の開口部のみが示されている。面キャップ１１は、合成樹脂やラバー材からなり、その図中上辺には、左右一対の嵌合（係止）爪１２、１２が面キャップ本体と一体成形されて突設されている。一方、開口部１０の図中上辺であって、面キャップ１１の嵌合爪１２、１２と対応する部位には、図示せぬ一対の嵌合穴又は係止部が形成されていて、外部コネクタの未使用時やメモリカードの未挿抜時には、嵌合穴又は係止部に嵌合爪１２、１２が嵌合係着されることで、面キャップ１１が開口部１０まわりに保持される構成となっている。
【０００７】
図７は、第２の関連技術（スライド方式）を採用する携帯端末装置の主要部（面キャップ・開口部）の構成を概略示す断面図である。
この携帯端末装置１３は、同図に示すように、外部接続端子部１４と、該外部接続端子部１４を保護する面キャップ（保護カバー）１５とを有している。機器筐体１６の開口部（コネクタ差込口）１７の片側には、キャップ退避部（キャップ収納部）１８が設けられている。面キャップ１５は、外部コネクタの使用時には、Ｘ方向に沿って、キャップ退避部１８にまでスライド移動されて、開口部１７が露出状態となる。なお、開口部が、カード挿入口であっても同様である。
【特許文献１】特開２００８−０８５１７１号公報
【特許文献２】特開２００６−８６０２７号公報
【発明の開示】
【発明が解決しようとする課題】
【０００８】
ところで、携帯電子機器の薄型化の進展に伴い、コネクタ差込口やカード挿入口等を蓋する面キャップにも小型・薄型機器対応の簡易な構造・形状・デザインが要求されるようになってきている。
しかしながら、特許文献１等に記載の第１の関連技術（爪嵌合方式）にあっては、嵌合爪の素材たる合成樹脂材やラバー材は薄くなるほど、強度減を招くので、面キャップ構造の強度確保が難しくなる、という不都合がある。このため、繰り返し使用に耐え得る強度を備える嵌合爪、ひいては、面キャップ全体、さらには、開口部（コネクタ差込口やカード挿入口）を構造・形状設計し、意匠を施す際の自由度が著しく制限される、という問題がある。
【０００９】
また、特許文献２等に記載の第２の関連技術（スライド方式）にあっては、外部コネクタの使用時やメモリカードの挿抜時、面キャップをスライド移動させて退避させるための余分なスペース（キャップ退避部）が機器筐体の側壁部に必要となるので、スペースに余裕のない小型・薄型機器には不向きである。
【００１０】
この発明は、上述の事情に鑑みてなされたもので、携帯電話機等、薄型・小型の携帯電子機器に適用して好適な吸着性の面キャップ及びこれを備える電子機器を提供することを目的としている。
【課題を解決するための手段】
【００１１】
上記課題を解決するために、この発明の構成は、電子機器の筐体に設けられた所定の開口部を蓋するための面キャップに係り、該面キャップは、前記開口部を蓋して閉ざす態様では、キャップ裏面のうち、前記開口部まわりの縁面に相対向して当接される領域の全部又は一部が、前記開口部まわりの前記縁面の全部又は一部と面吸着されて、保持される構成になされていることを特徴としている。
【発明の効果】
【００１２】
この発明の構成によれば、面キャップが開口部まわりの縁面に面吸着により保持されるので、複雑な嵌合爪構造や余分なスペース（キャップ退避部）が不要となる。それゆえ、製造が簡易であり、機械強度も損なわれないので、薄型・小型の携帯電子機器開発に寄与できる。加えて、設計上の自由度が増すので、様々な形状のコネクタ等、各種インタフェースへの対応が一段と容易となる。また、嵌合爪やスライド機構等の可動部・摺動部がない上、必要に応じて洗浄すれば、容易に吸着力が復帰するため、繰り返し使用に強い面キャップを得ることができる。
【発明を実施するための最良の形態】
【００１３】
この発明を実施するための最良の形態としての面キャップは、面キャップの少なくとも一部が、例えば、シリコーン材等の自己吸着性部材、又は通気性、多孔性又は発泡性の合成樹脂等の吸盤性部材からなると共に、キャップ裏面のうち、開口部まわりの縁面に相対向して当接される領域の全部又は一部が、自己吸着性部材又は吸盤性部材の露出面からなっている。
【実施形態１】
【００１４】
以下、図面を参照して、この発明の実施形態について詳細に説明する。
図１は、この発明の第１の実施形態である携帯電子機器の外観構成を概略示す斜視図、図２は、同携帯電子機器の主要部（面キャップ・開口部）を拡大して示す部分拡大斜視図、また、図３は、同携帯電子機器の主要部を拡大して示す断面図である。
まず、図１を参照して、同携帯電子機器の全体構成について説明する。
この携帯電子機器１ａは、同図に示すように、上部筐体２と下部筐体３ａとがヒンジ部４を介して折畳み自在に結合されて構成されている。上部筐体２には、表示パネル５や図示せぬスピーカ等が搭載実装されている。また、下部筐体３ａには、キー操作部６、図示せぬカメラ、制御部、無線部、マイクロホン、及び電池パック、パソコンやＴＶ受像機や充電用アダプタ等の外部機器と接続するための外部接続端子部、イヤホンマイクと接続するためのイヤホンマイク端子部、及びmicroＳＤカード（登録商標）等のメモリカードを挿抜自在に装着するためのカード収納部等が搭載実装されている。
【００１５】
上記下部筐体３ａは、上述の各部、各部品を搭載装着するためのフロントケース７ａと、リアカバー８ａと、電池パック交換用の開閉蓋とから構成されている。上記フロントケース７ａは、例えばＡＢＳ樹脂等の合成樹脂に補強用の金属板がインサート成形されてフレームとして形成され、あるいは、アルミダイキャストから成形されている。また、リアカバー８ａは、例えば、ポリカーボネート等の合成樹脂やアルミダイキャストから成形されている。
【００１６】
下部筐体３ａの側壁（側面）部９ａには、イヤホンマイク端子部や外部接続端子部等に外部コネクタを差し込むためのコネクタ差込口、カード収納部に対してメモリカードを挿抜するためのカード挿入口等の開口部１０ａが複数設けられている。
開口部１０ａは、下部筐体３ａの側壁部９ａに形成された凹平面の部位に設けられている。この凹平面は、側壁部９ａの幅方向には素通しに切り欠かれ、長尺方向の両端部のみ凸段部３ｂ、３ｂに挟まれる態様に形成されている。各開口部１０ａには、面吸着方式を採用する概略矩形の面キャップ１１ａが備えられている。なお、図１では、便宜上、カード挿入口としての開口部１０ａのみが示されているが、コネクタ差込口についても同様である。
【００１７】
この形態の面キャップ１１ａは、合成樹脂材やラバー材からなるキャップ本体（基体）１９と、該キャップ本体１９の裏面に固着された自己吸着性部材（例えば、シリコーン膜）からなる吸着層２０とから構成されている。ここで、自己吸着性部材とは、嵌合（係止）爪等に頼ることなく、自身の分子構造に起因して、対象物に対して着脱自在に物理吸着する性質を有する素材のことである。好適な自己吸着性部材としては、シリコーン材、あるいは、これに特性が類似するエラストマや重合材等を挙げることができる。シリコーン材は剥離性に優れ、また、吸着力は、水による洗浄等で容易に復帰するため吸着面の汚れにも対応でき、繰り返し使用に強いという利点がある。上記面キャップ１１ａは、上記凹平面、すなわち、開口部形成面と概略同一寸法・同一形状に形成されている。
【００１８】
開口部１０ａまわりを構成するロ字型の開口部周縁面には、面キャップ１１ａの吸着力を高めるために、合成樹脂やガラス繊維等、微小凹凸部の少ない薄板状の緻密材２１が貼着されて、被吸着面２１aが形成されている。
【００１９】
上記構成において、この実施形態の面キャップ１１ａは、開口部１０ａを蓋して閉ざす態様では（すなわち、面キャップ装着時には）、キャップ裏面（吸着層２０の露出面）のうち、ロ字型の開口部周縁面に相対向して当接される領域が、開口部周縁面（被吸着面２１a、すなわち、緻密材２１の表面）と面吸着されて、吸着層２０と緻密材２１との吸着力によって、保持される。次に、面キャップ１１ａを取り外す際には、開口部形成面（凹平面）が、側壁部９ａの幅方向に素通しに切り欠かれているので、その方向から、指等で容易に引き剥がすことができる。
【００２０】
このように、この実施形態によれば、面キャップ１１ａが開口部１０ａに保持される手段としての、複雑な嵌合爪構造や余分なスペース（キャップ退避部）が不要となる。それゆえ、製造が簡易であり、機械強度も損なわれないので、薄型・小型の携帯電子機器開発に寄与できる。加えて、設計上の自由度が増すので、様々な形状のコネクタ等、各種インタフェースへの対応が一段と容易となる。また、嵌合爪やスライド機構等の可動部・摺動部がない上、必要に応じて洗浄すれば、容易に吸着力が復帰するため、繰り返し使用に強い面キャップを得ることができる。
【実施形態２】
【００２１】
次に、この発明の第２の実施形態について説明する。
図４は、この発明の第２の実施形態である面キャップの構成と吸着原理を概略示す断面図である。
この形態の面キャップ１１ｂが、上記した第１の実施形態の面キャップ１１ａ（図１乃至図３）と大きく異なるところは、吸着層を構成する部材として、自己吸着性部材（シリコーン膜）に代えて、吸盤性部材を用いるようにした点のみである。それゆえ、図４において、開口部側の構成部分については、図３の対応する各部と同一であるので、同一の符号を付して、その説明を省略又は簡略化する。
【００２２】
具体的には、この形態の面キャップ１１ｂは、図４に示すように、まわりを閉ざされた無蓋の凹領域２２ａを有する気密性部材２２と、該気密性部材２２の凹領域２２ａの中に露出状態で埋設収納された吸盤性部材（吸着層）２３とからなると共に、該吸盤性部材（吸着層）２３の露出面が、キャップ裏面のうち、開口部周縁面（被吸着面２１a、すなわち、緻密材２１の表面）に相対向して当接される構成となっている。
好適な吸盤性部材２３としては、空気等の気体を取り込める通気性、多孔性又は発泡性の合成樹脂を挙げることができる。また、好適な気密性部材としては、非通気性の緻密材を挙げることができるが、この実施形態で使用される気密性部材としては、ある程度、弾力性を有するものが好ましい。
【００２３】
上記構成において、この実施形態の面キャップ１１ｂは、開口部１０ａを蓋して閉ざす際には（すなわち、面キャップを装着する際には）、図４（ａ）に示すように、キャップ裏面（吸盤性部材（吸着層）２３の露出面）を、指等により、ロ字型の開口部周縁面に押付ける。この際、面キャップ１１ｂは、同図（ｂ）に示すように、押圧により、窪む方向に変位し、その分、吸盤性部材（吸着層）２３に取り込まれていた空気が排除される。この後、押圧する指を離すと、同図（ｃ）に示すように、気密性部材２２には、元の状態に復帰しようとする復元力が作用する。この復元力が、気密性部材２２の凹領域２２ａ内の気圧を、外圧に対して、減圧状態とするので、面キャップ１１ｂは、開口部周縁面に強く吸着し、保持される。次に、面キャップ１１ａを取り外す際には、凹平面の開口部形成面が、側壁部９ａの幅方向には素通しに切り欠かれているので、幅方向から、指等で容易に引き剥がすことができる。
【実施形態３】
【００２４】
次に、この発明の第３の実施形態について説明する。
図５は、この発明の第３の実施形態である携帯電子機器の外観構成を概略示す斜視図である。
この実施形態の携帯電子機器１ｃは、同図に示すように、キャップ裏面に吸着層を備える面キャップ１１ｃが、ゴムヒンジ２４を介して、下部筐体３ｃに回動自在に結合されて、開口部１０ｃを閉ざして蓋する構成となっている。この実施形態の面キャップ１１ｃは、上記した面キャップ１１ａ（第１の実施形態）又は面キャップ１１ｂ（第１の実施形態）と同一構成で良いので、その説明を省略する。
【００２５】
この実施形態によれば、上記した第１及び第２の実施形態で述べたと略同様の効果を得ることができる。加えて、ゴムヒンジ２４によって、面キャップ１１ｃが、下部筐体３ｃに結合されているので、面キャップの紛失を防止できる。
【００２６】
以上、この発明の実施形態を図面を参照して詳述してきたが、具体的な構成はこの実施形態に限られるものではなく、この発明の要旨を逸脱しない範囲の設計の変更等があってもこの発明に含まれる。例えば、面キャップの形状は、概略矩形に限るものではなく、開口部の形状に応じて、任意の形状を取り得る。
また、面キャップは、開口部を蓋して閉ざす態様では、キャップ裏面のうち、開口部全周縁面に対向する全領域が、開口部全周縁面に吸着されて保持される場合について述べたが、これに限らず、必要に応じて、開口部一部周縁面に対向する領域が、開口部一部周縁面に吸着されて保持されるようにしても良い。
【００２７】
また、上述の第１の実施形態では、面キャップ１１ａが、キャップ本体（基体）１９と、該キャップ本体１９の裏面に貼着された自己吸着性部材（例えば、シリコーン膜）からなる吸着層２０とから構成される場合について述べたが、これに代えて、面キャップ全体を自己吸着性部材から構成するようにしても良い。
また、上述の第１の実施形態では、開口部１０ａまわりを構成するロ字型の開口部周縁面に、緻密材２１を貼着するようにしたが、きめの細かい塗料を開口部周縁面に塗布しても良く、筐体自身の素材に緻密材を用いるようにしても良い。
【産業上の利用可能性】
【００２８】
この発明は、薄型の携帯電話機に限らず、ＰＤＡ（Personal Digital Assistant）、携帯電子辞書、デジタルカメラ等にも広く適用できる。また、非携帯の電子機器にも適用できる。
【図面の簡単な説明】
【００２９】
【図１】この発明の第１の実施形態である携帯電子機器の外観構成を概略示す斜視図である。
【図２】同携帯電子機器の主要部（面キャップ・開口部）を拡大して示す部分拡大斜視図である。
【図３】同携帯電子機器の主要部を拡大して示す断面図である。
【図４】この発明の第２の実施形態である面キャップの構成と吸着原理を概略示す断面図である。
【図５】この発明の第３の実施形態である携帯電子機器の外観構成を概略示す斜視図である。
【図６】第１の関連技術（爪嵌合方式）を採用する携帯電子機器の外観構成を概略示す斜視図、図中の円枠Ａは、同携帯電子機器の主要部（面キャップ・開口部）を拡大して示す部分拡大図である。
【図７】第２の関連技術（スライド方式）を採用する携帯端末装置の主要部（面キャップ・開口部）の構成を概略示す断面図である。
【符号の説明】
【００３０】
１ａ        携帯電子機器（電子機器）
３ａ、３ｃ        下部筐体（筐体）
１０ａ、１０ｃ        開口部（カード挿入口、コネクタ差込口）
１１ａ、１１ｂ、１１ｃ        面キャップ
２０        吸着層（キャップ裏面、自己吸着性部材）
２１        緻密材
２１a        被吸着面（開口部まわりの縁面）
２２        気密性部材
２２ａ        無蓋の凹領域
２３        吸着層（キャップ裏面、吸盤性部材）
２４        ゴムヒンジ
【図１】
2010087639.tif 000003
【図２】
2010087639.tif 000004
【図３】
2010087639.tif 000005
【図４】
2010087639.tif 000006
【図５】
2010087639.tif 000007
【図６】
2010087639.tif 000008
【図７】
2010087639.tif 000009